(57)【要約】【課題】無線アクセスポイントとしての機能の重複を防止することができる無線ＬＡＮシステムにおけるモバイル無線通信機器、無線ＬＡＮアクセスポイントおよびそれらの制御方法を提供する。【解決手段】無線ＬＡＮアクセスポイントとして動作可能なモバイル無線通信機器（１０２）において、複数の無線ＬＡＮアクセスポイントのそれぞれの固有情報と無線ＬＡＮアクセスポイントの重複を回避する複数の動作モードとを対応づけた登録情報を格納し（２０１）、固有情報を検出すると（２０４，２１２）、当該固有情報に対応する動作モードに無線通信手段を遷移させる（２０５，２１３）。【選択図】図５
2014204144.tif 000002
【特許請求の範囲】
【請求項１】
無線ＬＡＮ(Local Area Network)アクセスポイントとして動作可能なモバイル無線通信機器であって、
無線通信手段と、
複数の無線ＬＡＮアクセスポイントのそれぞれの固有情報と複数の動作モードとを対応づけた登録情報を格納する格納手段と、
前記固有情報を検出すると、当該固有情報に対応する動作モードに前記無線通信手段を遷移させる制御手段と、
を有し、前記複数の動作モードが無線ＬＡＮアクセスポイントの重複を回避する動作モードであることを特徴とするモバイル無線通信機器。
【請求項２】
前記複数の固有情報の１つあるいは２つ以上の組み合わせと前記動作モードの１つとが対応づけられていることを特徴とする請求項１に記載のモバイル無線通信機器。
【請求項３】
前記複数の動作モードは、無線通信機能を停止したスリープモード、使用周波数変更モードあるいは電源オフモードを含むことを特徴とする請求項１または２に記載のモバイル無線通信機器。
【請求項４】
前記登録情報は、各動作モードを実行するための条件を含むことを特徴とする請求項１−３のいずれか１項に記載のモバイル無線通信機器。
【請求項５】
前記条件は前記固有情報を受信したときの受信強度閾値および／または動作を許可された時間帯を含むことを特徴とする請求項１−４のいずれか１項に記載のモバイル無線通信機器。
【請求項６】
無線ＬＡＮ(Local Area Network)システムにおける無線ＬＡＮアクセスポイントであって、
無線ＬＡＮアクセスポイントとして動作可能な複数のモバイル無線通信機器のそれぞれの固有情報と複数の動作モードとを対応づけた登録情報を格納する格納手段と、
前記固有情報を検出すると、当該固有情報に対応する動作モードを示す情報を当該固有情報を送信したモバイル無線通信機器に対して送信し、当該モバイル無線通信機器の動作モードを遷移させる制御手段と、
を有し、前記複数の動作モードが無線ＬＡＮアクセスポイントの重複を回避する動作モードであることを特徴とする無線ＬＡＮアクセスポイント。
【請求項７】
無線ＬＡＮ(Local Area Network)システムであって、
複数の無線ＬＡＮアクセスポイントのそれぞれの固有情報と複数の動作モードとを対応づけた登録情報を格納したモバイル無線通信機器が、前記固有情報を検出した時に、当該固有情報に対応する動作モードに遷移し、前記複数の動作モードが無線ＬＡＮアクセスポイントの重複を回避する動作モードであることを特徴とする無線ＬＡＮシステム。
【請求項８】
無線ＬＡＮ(Local Area Network)システムであって、
無線ＬＡＮアクセスポイントとして動作可能な複数のモバイル無線通信機器のそれぞれの固有情報と複数の動作モードとを対応づけた登録情報を格納した無線ＬＡＮアクセスポイントが、前記固有情報を検出すると、当該固有情報に対応する動作モードを示す情報を当該固有情報を送信したモバイル無線通信機器に対して送信し、
前記モバイル無線通信機器が前記動作モードを示す情報に従って動作モードを遷移し、
前記複数の動作モードが無線ＬＡＮアクセスポイントの重複を回避する動作モードであることを特徴とする無線ＬＡＮシステム。
【請求項９】
無線ＬＡＮ(Local Area Network)アクセスポイントとして動作可能なモバイル無線通信機器の制御方法であって、
複数の無線ＬＡＮアクセスポイントのそれぞれの固有情報と複数の動作モードとを対応づけた登録情報を格納手段に格納し、
前記固有情報を検出すると、当該固有情報に対応する動作モードに無線通信手段を遷移させ、
前記複数の動作モードが無線ＬＡＮアクセスポイントの重複を回避する動作モードであることを特徴とするモバイル無線通信機器の制御方法。
【請求項１０】
無線ＬＡＮ(Local Area Network)システムにおける無線ＬＡＮアクセスポイントの制御方法であって、
無線ＬＡＮアクセスポイントとして動作可能な複数のモバイル無線通信機器のそれぞれの固有情報と複数の動作モードとを対応づけた登録情報を格納手段に格納し、
前記固有情報を検出すると、当該固有情報に対応する動作モードを示す情報を当該固有情報を送信したモバイル無線通信機器に対して送信し、
前記複数の動作モードが無線ＬＡＮアクセスポイントの重複を回避する動作モードであることを特徴とする無線ＬＡＮアクセスポイントの制御方法。
【発明の詳細な説明】
【技術分野】
【０００１】
本発明は無線ＬＡＮシステムに係り，特に無線ＬＡＮ(Local Area Network)アクセスポイントとして動作可能な可搬性の無線通信機器、無線ＬＡＮアクセスポイントおよびそれらの制御方法に関する。
【背景技術】
【０００２】
無線ＬＡＮアクセスポイントの急速な普及に伴い、端末側の動作を制御する技術が種々提案されている。たとえば、特許文献１には、他の装置からの制御信号（ビーコンあるいはプローブリクエスト）の種別によって、アクセスポイント機能かステーション機能かのいずれかの動作モードを決定する通信装置が開示されている。また、特許文献２には、無線ＬＡＮアクセスポイントからのアクセスポイント識別情報に基づいて、端末の設定モードを変更するシステムが開示されている。
【先行技術文献】
【特許文献】
【０００３】
【特許文献１】特開２０１２−１５６８９５号公報
【特許文献２】特開２０１２−０７４８２６号公報
【発明の概要】
【発明が解決しようとする課題】
【０００４】
しかしながら、今日、モバイルルータ機能を有するモバイル機器が急速に普及しつつあり、各無線機器の通信エリアの相互干渉および電波干渉は避けられない状況にある。一般に、モバイルルータ、無線ＬＡＮルータおよび無線ＬＡＮアクセスポイントは、いずれも無線アクセスポイントとして動作する機能を有しており、それらは独立して動作する。そのために、モバイルルータが無線ＬＡＮルータ／アクセスポイントの無線通信エリアに侵入すると、無線アクセスポイントとしての機能が重複し、無線通信の周波数干渉等によるスループットの低下を招くという問題が発生しうる。
【０００５】
そこで、本発明の目的は、無線アクセスポイントとしての機能の重複を防止することができる無線ＬＡＮシステムにおけるモバイル無線通信機器、無線ＬＡＮアクセスポイントおよびそれらの制御方法を提供することにある。
【課題を解決するための手段】
【０００６】
本発明によるモバイル無線通信機器は、無線ＬＡＮ(Local Area Network)アクセスポイントとして動作可能なモバイル無線通信機器であって、無線通信手段と、複数の無線ＬＡＮアクセスポイントのそれぞれの固有情報と複数の動作モードとを対応づけた登録情報を格納する格納手段と、前記固有情報を検出すると、当該固有情報に対応する動作モードに前記無線通信手段を遷移させる制御手段と、を有し、前記複数の動作モードが無線ＬＡＮアクセスポイントの重複を回避する動作モードであることを特徴とする。
本発明による無線ＬＡＮアクセスポイントは、無線ＬＡＮ(Local Area Network)システムにおける無線ＬＡＮアクセスポイントであって、無線ＬＡＮアクセスポイントとして動作可能な複数のモバイル無線通信機器のそれぞれの固有情報と複数の動作モードとを対応づけた登録情報を格納する格納手段と、前記固有情報を検出すると、当該固有情報に対応する動作モードを示す情報を当該固有情報を送信したモバイル無線通信機器に対して送信し、当該モバイル無線通信機器の動作モードを遷移させる制御手段と、を有し、前記複数の動作モードが無線ＬＡＮアクセスポイントの重複を回避する動作モードであることを特徴とする。
本発明による無線ＬＡＮシステムは、複数の無線ＬＡＮアクセスポイントのそれぞれの固有情報と複数の動作モードとを対応づけた登録情報を格納したモバイル無線通信機器が、前記固有情報を検出した時に、当該固有情報に対応する動作モードに遷移し、前記複数の動作モードが無線ＬＡＮアクセスポイントの重複を回避する動作モードであることを特徴とする。
本発明による無線ＬＡＮシステムは、無線ＬＡＮアクセスポイントとして動作可能な複数のモバイル無線通信機器のそれぞれの固有情報と複数の動作モードとを対応づけた登録情報を格納した無線ＬＡＮアクセスポイントが、前記固有情報を検出すると、当該固有情報に対応する動作モードを示す情報を当該固有情報を送信したモバイル無線通信機器に対して送信し、前記モバイル無線通信機器が前記動作モードを示す情報に従って動作モードを遷移し、前記複数の動作モードが無線ＬＡＮアクセスポイントの重複を回避する動作モードであることを特徴とする。
本発明によるモバイル無線通信機器の制御方法は、複数の無線ＬＡＮアクセスポイントのそれぞれの固有情報と複数の動作モードとを対応づけた登録情報を格納手段に格納し、前記固有情報を検出すると、当該固有情報に対応する動作モードに無線通信手段を遷移させ、前記複数の動作モードが無線ＬＡＮアクセスポイントの重複を回避する動作モードであることを特徴とする。
本発明によるモバイル無線通信機器の制御方法は、無線ＬＡＮアクセスポイントとして動作可能な複数のモバイル無線通信機器のそれぞれの固有情報と複数の動作モードとを対応づけた登録情報を格納手段に格納し、前記固有情報を検出すると、当該固有情報に対応する動作モードを示す情報を当該固有情報を送信したモバイル無線通信機器に対して送信し、前記複数の動作モードが無線ＬＡＮアクセスポイントの重複を回避する動作モードであることを特徴とする。
【発明の効果】
【０００７】
本発明によれば、モバイル無線通信機器が登録された固有情報を検出すると、当該固有情報に対応する、無線ＬＡＮアクセスポイントの重複を回避する動作モードに遷移する。
【図面の簡単な説明】
【０００８】
【図１】図１は本発明の一実施形態による無線通信システムを示す構成図である。
【図２】図２は本実施形態による無線ＬＡＮアクセスポイントの機能的構成を示すブロック図である。
【図３】図３は本実施形態によるモバイルルータの機能的構成を示すブロック図である。
【図４】図４は本発明の第１実施例における動作モードテーブルの一例を示す図である。
【図５】図５は第１実施例による制御方法を示すフローチャートである。
【図６】図６は本発明の第２実施例における動作モードテーブルの一例を示す図である。
【図７】図７は本発明の第２実施例による制御方法を示すフローチャートである。
【図８】図８は本発明の第３実施例による無線通信システムを示す構成図である。
【図９】図９は第３実施例におけるビーコンフレームの一例を示すフォーマット図である。
【図１０】図１０は本発明の第３実施例による制御方法を示すフローチャートである。
【図１１】図１１（Ａ）は本発明の第４実施例におけるビーコン送信パターンを示す波系図であり、図１１（Ｂ）は第４実施例による動作モードテーブルの一例を示す図である。
【発明を実施するための形態】
【０００９】
本発明による実施形態によれば、無線ＬＡＮアクセスポイント機能を有するモバイル無線通信機器が特定の無線ＬＡＮアクセスポイントのビーコン到達エリアに進入すると、アクセスポイント機能の重複を回避するように動作モードを変更する。たとえば、電源オフ、外部ネットワークへの接続機能のオフ、スリープモード（無線機能の停止）あるいは無線通信周波数の変更などである。ビーコン到達エリアへの進入は、特定無線ＬＡＮアクセスポイントのビーコンから固有情報、たとえばサービスセット識別子ＳＳＩＤ（Service Set Identifier）や媒体アクセス制御（ＭＡＣ）アドレスを認識することにより検知できる。以下、本発明の実施形態及び実施例について図面を参照しながら詳細に説明する。
【００１０】
１．システム構成
図１において、無線ＬＡＮアクセスポイント１０１はアクセスルータ１０４を介してインターネット等の外部ネットワーク１０５に接続されている。モバイルルータ１０２は、３Ｇ、ＬＴＥ(long Term Evolution)やＷｉＭＡＸ(Worldwide Interoperability for Microwave Access)等によって外部ネットワークに接続する機能を有し、無線ＬＡＮアクセスポイント通信可能エリア１０３へ外から進入してきたものとする。
【００１１】
モバイルルータ１０２は、無線ＬＡＮアクセスポイント１０１のビーコンを受信することによって、無線ＬＡＮアクセスポイント１０１のＳＳＩＤおよびＭＡＣアドレスを取得し、無線ＬＡＮアクセスポイント通信可能エリア１０３への進入を検出する。この進入を検出することで、後述するように、モバイルルータ１０２は特定の動作を実行する。特定の動作とは、アクセスポイント機能の重複を回避するように動作モードを変更する。例えば、電源OFF、外部ネットワークに接続する機能をOFF、スリープ状態（無線機能の停止）、無線通信周波数の変更等である。
【００１２】
図２に示すように、無線ＬＡＮアクセスポイント１０１は、無線ＬＡＮアンテナ１１０、無線ＬＡＮインタフェース部１１１、制御部１１２、通信インタフェース部１１３、フラッシュリードオンリメモリ（Ｆｌａｃｈ  ＲＯＭ）１１４およびランダムアクセスメモリ（ＲＡＭ）５６を含んでいる。無線ＬＡＮアクセスポイント１０１は無線ＬＡＮインタフェース部１１１および無線ＬＡＮアンテナ１１０を通して端末側とビーコンやデータの送受信を行う。一例として、無線ＬＡＮインタフェース部１１０は２．４ＧＨｚ帯、５ＧＨｚ帯の両方の規格に対応し、２．４ＧＨｚ帯、５ＧＨｚ帯のデータの同時処理が可能であるものとする。
【００１３】
図３に示すように、モバイルルータ１０２は、無線ＬＡＮアンテナ１２１、３Ｇアンテナ１２２、無線ＬＡＮインタフェース部１２３、３Ｇインタフェース部１２４、制御部１２５、Ｆｌａｃｈ  ＲＯＭ１２６およびＲＡＭ１２７を含んでいる。一例として、無線ＬＡＮインタフェース部１２３は２．４ＧＨｚ帯、５ＧＨｚ帯の両方の規格に対応し、２．４ＧＨｚ帯、５ＧＨｚ帯のデータの同時処理が可能であるものとする。
【００１４】
なお、図２に示す制御部１１２および図３に示す制御部１２５は、それぞれ図示しないメモリに格納されたプログラムをコンピュータ（ＣＰＵ：Central Processing Unit）上で実行することによる以下で説明する制御動作を実行することもできる。
【００１５】
以下、一例として３Ｇ無線規格に対応したモバイルルータを用いて説明するが、３Ｇに限定するものではなく、ＬＴＥやＷｉＭＡＸ等、無線ネットワークを構成する様々な無線規格でも同様の効果が得られる。また、無線ＬＡＮインタフェース部１２３は２．４ＧＨｚ帯、５ＧＨｚ帯の両方の規格に対応するが、どちらか片方でも、同様の効果が得られる。
【００１６】
２．第１実施例
以下、本発明の第１実施例によるモバイルルータ１０２の動作制御について図４および図５を参照しながら説明する。
【００１７】
２．１）登録情報
モバイルルータ１０２のＦｌａｃｈ  ＲＯＭ１１４には、特定のアクセスポイントのＳＳＩＤ（固有情報）とそれに対応する動作モードとを示す動作モードテーブルが予め登録される。登録方法としては、たとえば図４に例示するようなテーブルをモバイルルータ１０２のＧＵＩ(Graphical User Interface)に表示させて登録すればよい。
【００１８】
図４を参照すると、ＳＳＩＤ：SSID001に対してはスリープモード、ＳＳＩＤ：SSID002 or SSID003に対しは電源OFFがそれぞれ登録されている。このようにＳＳＩＤは複数登録することも可能である。ＳＳＩＤを複数登録する場合、本実施例では一例としてand、orを利用した条件式を用い、同時条件と排他条件を作成している。また、ＳＳＩＤ：SSID004 and SSID005に対しは周波数変更＝＞7chが登録されている。スリープモードとは、例えば、３Ｇインタフェース部１２４の動作を停止し、無線ＬＡＮインタフェース部１２３のビーコン受信間隔を最小限に抑えた状態をいう。周波数変更＝＞7chとは、無線ＬＡＮの通信チャンネルを７ｃｈに変更する動作である。制御部１２５は、図４に示すような動作テーブルを参照することで、検知したＳＳＩＤに応じて、動作モードをスリープモード／電源オフ／周波数変更に切り替えることができる。
【００１９】
２．２）動作モード変更制御
図５において、まず、特定のアクセスポイントのＳＳＩＤとそれに対応する動作モードとからなる登録情報を上述したように入力することで、図４に示すような動作モードテーブルをＦｌａｃｈ  ＲＯＭ１１４に登録する（動作２０１）。
【００２０】
続いて、無線ＬＡＮインタフェース１２３は定期的にビーコンを受信し、周囲の無線ＬＡＮアクセスポイントのブロードキャスト情報を取得する（動作２０２）。ビーコンには、無線ＬＡＮアクセスポイントのＳＳＩＤ、ＭＡＣアドレス等の情報が含まれている。制御部１２５は、取得したビーコンに含まれるＳＳＩＤと動作モードテーブルに登録されたＳＳＩＤとを比較し（動作２０３）、ＳＳＩＤが一致するかどうかの確認を行う（動作２０４）。ＳＳＩＤが一致しない場合（動作２０４；ＮＯ）、制御部１２５は動作の変更を実施せずに、動作２０２へ戻る。ＳＳＩＤが一致すると（動作２０４；ＹＥＳ）、制御部１２５は一致したＳＳＩＤに対応する動作モードへ遷移するように無線ＬＡＮインタフェース部１２３および３Ｇインタフェース部１２４を制御する（動作２０５）。電源オフ以外の動作モードでは、次の動作が継続される。
【００２１】
スリープモードあるいは周波数変更モードのいずれかで動作しているときには、無線ＬＡＮインタフェース１２３は定期的にビーコンを受信して周囲の無線ＬＡＮアクセスポイントのＳＳＩＤを取得し（動作２１０）、制御部１２５は、取得したビーコンに含まれるＳＳＩＤと動作モードテーブルに登録されたＳＳＩＤとを比較し（動作２１１）、ＳＳＩＤが一致するかどうかの確認を行う（動作２１２）。ＳＳＩＤが一致すれば（動作２１２；ＹＥＳ）、対応する動作モードに遷移し（動作２１３）、電源オフ以外の動作モードであれば動作２１０へ戻り、動作２１０〜２１２が繰り返される。ＳＳＩＤが一致しない場合（動作２１２；ＮＯ）、制御部１２５は現在の動作モードを通常モードに遷移させ（動作２１４）、上述した動作２０２へ戻る。
【００２２】
２．３）効果
以上説明したように、本実施例によれば、以下に記載するような効果を奏する。
【００２３】
第１の効果は無線ＬＡＮアクセスポインとモバイルルータの無線通信機能の重複を防ぐことである。モバイルルータ等の無線通信機能を有する機器は、無線ＬＡＮアクセスポイントのビーコンを受信し、ビーコンに含まれるＳＳＩＤまたはＭＡＣアドレスが、あらかじめモバイルルータ等の無線通信機能を有する機器に登録されたＳＳＩＤまたはＭＡＣアドレスと一致した場合、登録情報に応じて動作モードの変更を行い無線ＬＡＮアクセスポインとの機能の重複を防ぐことができる。
【００２４】
第２の効果はモバイルルータの消費電力を削減し、動作時間を延伸することである。上記動作モードの変更でスリープモードや電源OFF等の電力消費量低減モードに変更を行うことによって、消費電力の削減効果が得られる。
【００２５】
第３の効果は無線通信の電波干渉を低減し、通信品質が改善することである。上記動作モードの変更で無線通信周波数の変更を行うことによって、無線通信機器間の電波干渉を低減する効果が得られる。
【００２６】
２．４）変形例
本実施例では、一例として、モバイルルータおよび無線ＬＡＮアクセスポイントを用いて説明したが、ビーコンを送出可能なすべての機器、また、ビーコンを受信し、ＳＳＩＤまたはＭＡＣアドレス情報等の固有情報を取得可能なすべての機器に対して適用可能である。また、本実施例では、モバイルルータ等の無線機器の動作モードについてスリープモード、通信周波数変更=＞7ch、電源OFFの３つの例を挙げたが、これに限定するものではない。モバイルルータ等の無線機器が遷移できるすべてのモードに対して、上記実施例を適用することが出来る。
【００２７】
さらに、本実施例では無線ＬＡＮアクセスポイントのビーコンに含まれるＳＳＩＤをトリガとしてモバイルルータ等の無線機器の動作モードの変更を実施しているが、ＳＳＩＤではなくＭＡＣアドレスでも同様の効果が得られる。また、ＳＳＩＤおよびＭＡＣアドレスの両方を認識して、動作モード変更のトリガとしても同様の効果が得られる。
【００２８】
上記実施例では、無線ＬＡＮアクセスポイントのＳＳＩＤをトリガとしてモバイルルータ等の無線機器の動作モードの変更を実施しているが、モバイルルータのビーコンに含まれるＳＳＩＤをトリガとして無線ＬＡＮアクセスポイントが動作モードの変更を実施しても同様の効果が得られる。
【００２９】
３．第２実施例
上述した第１実施例ではモバイルルータ１０２は、登録された無線アクセスポイントの固有情報（ＳＳＩＤ等）を検出すると、それに対応した動作モードへ変更する制御が行われる。これに対して、本発明の第２実施例によれば、遷移のトリガとして、無線ＬＡＮアクセスポイント１０１のビーコンの受信強度と、モバイルルータ１０２がビーコンを受信した時間帯とを追加する。以下、本発明の第２実施例によるモバイルルータ１０２の動作制御について図６および図７を参照しながら説明する。
【００３０】
３．１）登録情報
モバイルルータ１０２のＦｌａｃｈ  ＲＯＭ１１４には、特定のアクセスポイントのＳＳＩＤ（固有情報）とそれに対応する動作モードおよび動作条件を示す動作モードテーブルが予め登録される。登録方法としては、たとえば図６に例示するようなテーブルをモバイルルータ１０２のＧＵＩ(Graphical User Interface)に表示させて登録すればよい。動作条件としては、本実施例では受信強度閾値と動作時間帯を採用している。
【００３１】
たとえば、図６において、ＳＳＩＤ：SSID001に対してはスリープモード、受信強度閾値５０以上、および動作時間帯は２３：００〜６：００に設定されている。同様に、ＳＳＩＤ：SSID002に対し、動作モードは電源OFF、受信強度閾値は１０以下という内容が登録されている。ＳＳＩＤ：SSID003に対し、動作モードは周波数変更＝＞7ch、受信強度閾値は３０〜５０、動作時間帯は８：００から１７：００という内容が登録されている。受信強度は、無線ＬＡＮアクセスポイントのビーコンをモバイルルータが受信した時の受信強度である。受信強度閾値は、モバイルルータ１０２が動作モードの変更を行うためのビーコンの受信強度の条件である。本実施例では、受信強度閾値をある単位（たとえばdBu）を持った数値で表現しているが、大、中、小等、抽象表現を用いて表してもよい。また、動作時間帯は、モバイルルータ１０２が動作モードの変更を行うことを許容する時間帯を示すパラメータである。
３．２）動作モード変更制御
【００３２】
図７において、まず、特定のアクセスポイントのＳＳＩＤと、それに対応する動作モードと、ビーコンの受信強度閾値と、動作モードの変更を行う時間帯と、からなる登録情報を上述したように入力することで、図６に示すような動作モードテーブルをＦｌａｃｈ  ＲＯＭ１１４に登録する（動作３０１）。
【００３３】
続いて、無線ＬＡＮインタフェース１２３は定期的にビーコンを受信し、周囲の無線ＬＡＮアクセスポイントのブロードキャスト情報（ＳＳＩＤ、ＭＡＣアドレス等の固有情報）とビーコンの受信強度を取得する（動作３０２）。
【００３４】
制御部１２５は、現在の時間がＳＳＩＤ登録情報の動作時間帯に含まれているか否かを判断し（動作３０３）、現在の時間がＳＳＩＤ登録情報の動作時間帯に含まれない場合（動作３０３；ＮＯ）、通常の動作を続行する。ＳＳＩＤ登録情報の動作時間帯に含まれる場合（動作３０３；ＹＥＳ）、受信したビーコンに含まれるＳＳＩＤとＳＳＩＤ登録情報とを比較し（動作３０４）、ＳＳＩＤが一致するかどうかの確認を行う（動作３０５）。ＳＳＩＤが一致しない場合（動作３０５；ＮＯ）、制御部１２５は、動作の変更を実施せず、通常の動作を続行する（動作３０９）。ＳＳＩＤが一致する場合（動作３０５；ＹＥＳ）、制御部１２５はビーコンの受信強度とＳＳＩＤ登録情報の受信強度閾値とを比較する（動作３０６）。
【００３５】
ビーコンの受信強度が受信強度閾値より大きい場合（動作３０７；ＹＥＳ）、制御部１２５は図６に例示するＳＳＩＤ登録情報に基づき対応する動作モードへ遷移する（動作３０８）。ビーコンの受信強度が受信強度閾値以下であれば場合（動作３０７；ＮＯ）、制御部１２５は通常動作モードの変更を実施しない。尚、電源オフ以外の動作モードであれば、受信ＳＳＩＤとＳＳＩＤ登録情報とが一致しない場合（動作３０５；ＮＯ）、またはビーコンの受信強度がＳＳＩＤ登録情報の受信強度閾値以下になった場合（動作３０７；ＮＯ）、通常動作モードへ復帰する（動作３１０）。
【００３６】
なお、本実施例では、モバイルルータが動作モードの変更を行うトリガとして、無線ＬＡＮアクセスポイントのビーコンの受信強度および受信時間帯の両方の条件を用いて説明したが、どちらか片方の条件のみ適用してもよい。
４．第３実施例
【００３７】
本発明の第３実施例によれば、無線ＬＡＮアクセスポイントが予め登録したモバイルルータの通信可能エリアにはいると、当該モバイルルータに対して動作モードの変更を促すビーコンフレームを送信する。以下、図８〜図１０を参照しながら説明する。
【００３８】
４．１）システム構成
図８において、無線ＬＡＮアクセスポイント９０１はアクセスルータ９０４を介してインターネット等の外部ネットワーク９０５に接続されている。無線ＬＡＮアクセスポイント９０１はモバイルルータ９０２のビーコン９０６を受信し、ビーコン９０６に含まれるＳＳＩＤと無線ＬＡＮアクセスポイント９０１に予め登録されたモバイルルータのＳＳＩＤとが一致した場合、モバイルルータ９０２に対して動作の変更を促す。無線ＬＡＮアクセスポイント９０１は動作モードの変更を促す拡張データを含むビーコンフレーム９０７を送信し、モバイルルータ９０２は拡張データを含むビーコンフレーム９０７を受信すると、拡張データの内容に従い動作モードの変更を実施する。なお、無線ＬＡＮアクセスポイント９０１およびモバイルルータ９０２の基本的構成についての説明は、図２および図３を参照して説明した通りであるから省略し、機能的に異なっている点を以下で説明する。
【００３９】
図９は本実施例で使用するビーコンフレームの一例である。図９に示すように、ビーコンフレームはPLPCプリアンブルＡ０１、PCLPヘッダＡ０２、IEEE８０２．１１ヘッダＡ０３、データＡ０４、フレームチェックシーケンスＡ０５から構成される。PLPCプリアンブルＡ０１およびPCLPヘッダＡ０２は、同期信号、変調方式、データ長等の情報を含む物理ヘッダである。IEEE８０２．１１ヘッダＡ０３とデータＡ０４とフレームチェックシーケンスＡ０５はIEEE８０２．１１ヘッダと実際のデータおよびFCS（Frame Check Sequence）から構成されるＭＡＣフレームである。
【００４０】
本実施例では、例えば、IEEE８０２．１１ヘッダＡ０３に拡張データＡ０７を付属させるものとする。拡張データＡ０７には、モバイルルータの動作モード情報およびＳＳＩＤまたはＭＡＣアドレスが含まれている。尚、本実施例では、一例として、IEEE８０２．１１ヘッダＡ０３に拡張データＡ０７を付属させたが、付属先を制限するものではない。ビーコンフレーム内に拡張データが存在すれば、本実施例を実現することが可能である。
４．２）動作モード変更制御
【００４１】
図１０を参照すると、無線ＬＡＮアクセスポイント９０１に特定のモバイルルータのＳＳＩＤと、そのＳＳＩＤが含まれるビーコンを取得した際のモバイルルータ９０２の動作モードをＦｌａｓｈ  ＲＯＭ１１４に登録する（動作９１０）。登録方法および動作モードテーブルの形式は上述した実施例と同様であるから説明は省略する。
【００４２】
無線ＬＡＮアクセスポイント９０１の無線ＬＡＮインタフェース部１１１は定期的にビーコンを受信し、周囲のアクセスポイントのブロードキャスト情報を取得する（動作９１１）。受信したビーコンに含まれるＳＳＩＤとＳＳＩＤ登録情報を比較し（動作９１２）、ＳＳＩＤが一致するかどうかの確認を行う（動作９１３）。ＳＳＩＤが一致しない場合（動作９１３；ＮＯ）、制御部１１２は通常のビーコンフレームを送信する（動作９１４）。
【００４３】
ＳＳＩＤが一致すれば（動作９１３；ＹＥＳ）、制御部１１２は無線ＬＡＮインタフェース部１１１を制御し、モバイルルータ９０２に対して動作モード変更を促す拡張データを含むビーコンフレームを送信する（動作９１５）。
【００４４】
モバイルルータ９０２は動作モード変更を促す拡張データを含むビーコンフレームを受信すると（動作９１５）、モバイルルータ９０２の制御部１２５は、拡張データの内容に従い動作モードをスリープモード／周波数変更／電源オフ等に変更する（動作９１６）。
【００４５】
なお、無線ＬＡＮアクセスポイント９０１とモバイルルータ９０２の動作を入れ替えて、モバイルルータ９０２が無線ＬＡＮアクセスポイント９０１へ動作変更を促してもよい。
【００４６】
５．第４実施例
上述した第１〜第３実施例では、ビーコンに含まれるＳＳＩＤまたはＭＡＣアドレス等の固有情報を検出することで、モバイルルータの動作モードが別のモードに遷移する方法を提案した。本発明はこれらに限定されるものではなく、無線ＬＡＮアクセスポイントが送信するビーコンに含まれる暗号化方式の設定情報を時間軸上で変化させ、モバイルルータはその変化パターンを検出することによって動作モードを別のモードへ遷移することもできる。以下、この例を本発明の第４実施例として説明する。
【００４７】
図１１（Ａ）に示すように、無線ＬＡＮアクセスポイントより１００ｍｓの間隔でビーコンが送出されているものとする。横軸は時間、縦軸はビーコンの電界強度である。無線ＬＡＮアクセスポイントはビーコン毎に暗号化方式の情報を変更して送出する。例えば、図１２（Ｂ）に示すように、ビーコンＢ１にして暗号化方式”WEP”、ビーコンＢ２に対して暗号化方式”WPA1-PSK（TKIP）”、ビーコンＢ３に対して暗号化方式”WPA1-PSK（AES）”、ビーコンＢ４に対して暗号化方式”WPA2-PSK（TKIP）”、ビーコンＢ５に対して暗号化方式”WPA2-PSK（AES）”をそれぞれ設定して送出する。モバイルルータはビーコンＢ１からビーコンＢ５までの暗号化方式の情報を取得し、暗号化方式の変更パターンを認識する。例えば、“WEP”、”WPA1-PSK（TKIP）”、”WPA1-PSK（AES）”、”WPA2-PSK（TKIP）”、”WPA2-PSK（AES）”という順序で暗号化方式の情報を認識した場合、モバイルルータはスリープモードへ遷移する。
【００４８】
なお、ビーコンに含まれる暗号化方式の情報が変化すればよいので、データ部には実際に暗号化がかかっていなくても同様の効果が得られる。また、本実施例では、５つのビーコンを利用して暗号化方式の変更パターンを形成したが、パターンを作成するビーコン数に制限はない。また、パターンを形成する暗号化方式の種類についても制限はない。また、一例として、モバイルルータを用いて説明したが、ビーコンを送出可能なすべての機器、また、ビーコンを受信し暗号化方式の情報を取得可能なすべての機器に対しても同様に適用可能である。また、一例として、モバイルルータがスリープモードに遷移する動作を説明したが、遷移する動作はスリープモードに限定するものではなく、上述した実施例やその他モバイルルータ等の無線機器が遷移可能なすべての状態が対象となる。
【００４９】
４．付記
上述した実施形態の一部あるいは全部は、以下の付記のようにも記載されうるが、これらに限定されるものではない。
（付記１）
無線ＬＡＮ(Local Area Network)アクセスポイントとして動作可能なモバイル無線通信機器であって、
無線通信手段と、
複数の無線ＬＡＮアクセスポイントのそれぞれの固有情報と複数の動作モードとを対応づけた登録情報を格納する格納手段と、
前記固有情報を検出すると、当該固有情報に対応する動作モードに前記無線通信手段を遷移させる制御手段と、
を有し、前記複数の動作モードが無線ＬＡＮアクセスポイントの重複を回避する動作モードであることを特徴とするモバイル無線通信機器。
（付記２）
前記複数の固有情報の１つあるいは２つ以上の組み合わせと前記動作モードの１つとが対応づけられていることを特徴とする付記１に記載のモバイル無線通信機器。
（付記３）
前記複数の動作モードは、無線通信機能を停止したスリープモード、使用周波数変更モードあるいは電源オフモードを含むことを特徴とする付記１または２に記載のモバイル無線通信機器。
（付記４）
前記登録情報は、各動作モードを実行するための条件を含むことを特徴とする付記１−３のいずれか１項に記載のモバイル無線通信機器。
（付記５）
前記条件は前記固有情報を受信したときの受信強度閾値および／または動作を許可された時間帯を含むことを特徴とする付記１−４のいずれか１項に記載のモバイル無線通信機器。
（付記６）
無線ＬＡＮ(Local Area Network)システムにおける無線ＬＡＮアクセスポイントであって、
無線ＬＡＮアクセスポイントとして動作可能な複数のモバイル無線通信機器のそれぞれの固有情報と複数の動作モードとを対応づけた登録情報を格納する格納手段と、
前記固有情報を検出すると、当該固有情報に対応する動作モードを示す情報を当該固有情報を送信したモバイル無線通信機器に対して送信し、当該モバイル無線通信機器の動作モードを遷移させる制御手段と、
を有し、前記複数の動作モードが無線ＬＡＮアクセスポイントの重複を回避する動作モードであることを特徴とする無線ＬＡＮアクセスポイント。
（付記７）
前記複数の固有情報の１つあるいは２つ以上の組み合わせと前記動作モードの１つとが対応づけられていることを特徴とする付記６に記載の無線ＬＡＮアクセスポイント。
（付記８）
前記複数の動作モードは、無線通信機能を停止したスリープモード、使用周波数変更モードあるいは電源オフモードを含むことを特徴とする付記６または７に記載の無線ＬＡＮアクセスポイント。
（付記９）
前記登録情報は、各動作モードを実行するための条件を含むことを特徴とする付記６−８のいずれか１項に記載の無線ＬＡＮアクセスポイント。
（付記１０）
前記条件は前記固有情報を受信したときの受信強度閾値および／または動作を許可された時間帯を含むことを特徴とする付記６−９のいずれか１項に記載の無線ＬＡＮアクセスポイント。
（付記１１）
前記動作モードを示す情報は、ビーコンフレームに格納された拡張データあるいは複数の周期的なビーコンに乗せられた複数の暗号化方式の時系列パターンにより送信されることを特徴とする付記６−１０のいずれか１項に記載の無線ＬＡＮアクセスポイント。
（付記１２）
無線ＬＡＮ(Local Area Network)システムであって、
複数の無線ＬＡＮアクセスポイントのそれぞれの固有情報と複数の動作モードとを対応づけた登録情報を格納したモバイル無線通信機器が、前記固有情報を検出した時に、当該固有情報に対応する動作モードに遷移し、前記複数の動作モードが無線ＬＡＮアクセスポイントの重複を回避する動作モードであることを特徴とする無線ＬＡＮシステム。
（付記１３）
無線ＬＡＮ(Local Area Network)システムであって、
無線ＬＡＮアクセスポイントとして動作可能な複数のモバイル無線通信機器のそれぞれの固有情報と複数の動作モードとを対応づけた登録情報を格納した無線ＬＡＮアクセスポイントが、前記固有情報を検出すると、当該固有情報に対応する動作モードを示す情報を当該固有情報を送信したモバイル無線通信機器に対して送信し、
前記モバイル無線通信機器が前記動作モードを示す情報に従って動作モードを遷移し、前記複数の動作モードが無線ＬＡＮアクセスポイントの重複を回避する動作モードである  ことを特徴とする無線ＬＡＮシステム。
（付記１４）
無線ＬＡＮ(Local Area Network)アクセスポイントとして動作可能なモバイル無線通信機器の制御方法であって、
複数の無線ＬＡＮアクセスポイントのそれぞれの固有情報と複数の動作モードとを対応づけた登録情報を格納手段に格納し、
前記固有情報を検出すると、当該固有情報に対応する動作モードに無線通信手段を遷移させ、
前記複数の動作モードが無線ＬＡＮアクセスポイントの重複を回避する動作モードであることを特徴とするモバイル無線通信機器の制御方法。
（付記１５）
無線ＬＡＮ(Local Area Network)システムにおける無線ＬＡＮアクセスポイントの制御方法であって、
無線ＬＡＮアクセスポイントとして動作可能な複数のモバイル無線通信機器のそれぞれの固有情報と複数の動作モードとを対応づけた登録情報を格納手段に格納し、
前記固有情報を検出すると、当該固有情報に対応する動作モードを示す情報を当該固有情報を送信したモバイル無線通信機器に対して送信し、
前記複数の動作モードが無線ＬＡＮアクセスポイントの重複を回避する動作モードであることを特徴とする無線ＬＡＮアクセスポイントの制御方法。
（付記１６）
無線ＬＡＮ(Local Area Network)アクセスポイントとして動作可能なモバイル無線通信機器としてコンピュータを機能させるプログラムであって、
複数の無線ＬＡＮアクセスポイントのそれぞれの固有情報と複数の動作モードとを対応づけた登録情報を格納手段に格納する機能と、
前記固有情報を検出すると、無線通信手段を当該固有情報に対応する動作モードに遷移させる機能と、
を前記コンピュータに実現させ、前記複数の動作モードが無線ＬＡＮアクセスポイントの重複を回避する動作モードであることを特徴とするプログラム。
（付記１７）
無線ＬＡＮ(Local Area Network)システムにおける無線ＬＡＮアクセスポイントとしてコンピュータを機能させるプログラムであって、
無線ＬＡＮアクセスポイントとして動作可能な複数のモバイル無線通信機器のそれぞれの固有情報と複数の動作モードとを対応づけた登録情報を格納手段に格納する機能と、
前記固有情報を検出すると、当該固有情報に対応する動作モードを示す情報を当該固有情報を送信したモバイル無線通信機器に対して送信する機能と、
を前記コンピュータに実現させ、前記複数の動作モードが無線ＬＡＮアクセスポイントの重複を回避する動作モードであることを特徴とするプログラム。
【産業上の利用可能性】
【００５０】
本発明はモバイルルータとして機能する無線端末と無線ＬＡＮアクセスポイントからなる無線ＬＡＮシステムに適用可能である。
【符号の説明】
【００５１】
１０１  無線ＬＡＮアクセスポイント
１０２  モバイルルータ
１０３  無線ＬＡＮアクセスポイントビーコン到達エリア
１０４  アクセスルータ
１０５  外部ネットワーク
１１０  無線ＬＡＮアンテナ
１１１  無線ＬＡＮインタフェース部
１１２  制御部
１１３  通信インタフェース部
１１４  フラッシュＲＯＭ
１１５  ＲＡＭ
１２１  無線ＬＡＮアンテナ
１２２  ３Ｇアンテナ
１２３  無線ＬＡＮインタフェース部
１２４  ３Ｇインタフェース部
１２５  制御部
１２６  フラッシュＲＯＭ
１２７  ＲＡＭ
【図１】
2014204144.tif 000003
【図２】
2014204144.tif 000004
【図３】
2014204144.tif 000005
【図４】
2014204144.tif 000006
【図５】
2014204144.tif 000007
【図６】
2014204144.tif 000008
【図７】
2014204144.tif 000009
【図８】
2014204144.tif 000010
【図９】
2014204144.tif 000011
【図１０】
2014204144.tif 000012
【図１１】
2014204144.tif 000013